(57)【特許請求の範囲】
【請求項１】
裸光ファイバを保持する開閉自在のクランプと、
クランプで保持された裸光ファイバに初期傷を付けるスライド自在の刃部と、
初期傷の付いた裸光ファイバに曲げを付与して初期傷を進展させ、裸光ファイバを切断する枕と、
切断された裸光ファイバの切り屑を回収する切り屑回収機構と、
この回収機構において、切り屑を保持する開閉自在の回転ローラとを具え、
前記刃部のスライド動作に前記回転ローラの閉じ動作を連動させたことを特徴とする光ファイバカッタ。
【請求項２】
さらに、刃部のスライド動作に枕の裸光ファイバに対する曲げ付与動作を連動させ、
枕の曲げ付与動作を回転ローラの閉じ動作よりも早く行うように構成することを特徴とする請求項１記載の光ファイバカッタ。
【請求項３】
クランプの自動開放機構を具え、かつクランプの開放動作を回転ローラの回転動作に連動させることを特徴とする請求項１記載の光ファイバカッタ。
【請求項４】
切り屑回収機構は、外ケースと、外ケースに内蔵されて切り屑が投入される使い捨ての内ケースとを具えることを特徴とする請求項１記載の光ファイバカッタ。
【発明の詳細な説明】
【０００１】
【発明の属する技術分野】
本発明は光ファイバカッタに関するものである。特に、初期傷の付与前や光ファイバの切断前に切り屑回収機構の回転ローラで裸光ファイバの先端部を挟むことがなく、安定した曲げ付与動作が行える光ファイバカッタに関するものである。
【０００２】
【従来の技術】
従来より、光ファイバに初期傷を付けて切断する光ファイバカッタが知られている。このカッタの切断手順は次の通りである。まず、光ファイバ芯線の端部における被覆を除去して裸光ファイバを露出させておく。次に、この裸光ファイバのうち、根元側および先端側の２箇所をクランプで保持する。一方、クランプの間には裸光ファイバと直交する方向にスライド自在の刃部が設けられている。この刃部をスライドすることで、クランプで保持した裸光ファイバの中間に初期傷を付ける。そして、初期傷の付いた個所に枕を押圧して曲げを付与し、初期傷を進展させて裸光ファイバを切断する。
【０００３】
ここで、切断動作後、先端側の裸光ファイバは切り屑となるため、光ファイバカッタには、切り屑の回収機構を持つものもある。その一例としては、クランプ際（裸光ファイバの先端側）に切り屑の投入されるケースを設け、このケース内において切り屑を上下から挟んで保持する回転ローラを具えたものがある。切り屑をケース内に投入させるには、まず切り屑を回転ローラで挟み、次いで回転ローラを回転して切り屑をクランプから離反する方向に送り出して行う。
【０００４】
【発明が解決しようとする課題】
しかし、切り屑回収機構の回転ローラで裸光ファイバの先端部を挟んだまま初期傷の付与や曲げの付与が行われると、その結果、クランプによる裸光ファイバの把持力が変わり、結果的に切断に必要な適切な張力を安定して裸光ファイバに付与できず、切断精度のばらつきに大きな影響を及ぼす。
【０００５】
従って、本発明の主目的は、初期傷の付与前や光ファイバの切断前に切り屑回収機構の回転ローラで裸光ファイバの先端部を挟むことがなく、安定した曲げ付与動作が行える光ファイバカッタを提供することにある。
【０００６】
【課題を解決するための手段】
本発明は、刃部のスライド動作に切り屑回収機構における回転ローラの閉じ動作を連動させることで上記の目的を達成する。
【０００７】
上記の構成により、刃部をスライドして裸光ファイバに初期傷を付けた後、回転ローラの閉じ動作が行われることで、クランプによる裸光ファイバの把持力を安定させ、高精度の切断を実現できる。
【０００８】
さらに、刃部のスライド動作に枕の裸光ファイバに対する曲げ付与動作を連動させ、枕の曲げ付与動作を回転ローラの閉じ動作よりも早く行うように構成すると一層望ましい。刃部のスライド動作に枕の裸光ファイバに対する曲げ付与動作を連動させ、初期傷が付いた後に枕による曲げ付与動作が連動して行われれば、非常に操作性が良い。ただし、初期傷が付いた後で枕による曲げ付与動作よりも前に回転ローラの閉じ動作が行われれば、切断前に裸光ファイバの先端部を回転ローラで挟むことになり、クランプによる裸光ファイバの把持力が不安定になる。そこで、枕の曲げ付与動作を回転ローラの閉じ動作よりも早く行うようにし、クランプによる裸光ファイバの把持力を安定させ、高精度の切断を実現している。
【０００９】
なお、刃部のスライド動作に枕の裸光ファイバに対する曲げ付与動作を連動させる機構は、枕を裸光ファイバと接触状態に押圧する弾性材と、枕から押圧方向に突出する枕支持片と、刃部と同期してスライドされる突起とを具えるものが好適である。この突起は、裸光ファイバに初期傷を付ける前において、枕支持片に当接して枕を裸光ファイバと非接触の状態に押し戻し、初期傷を付けた後は、枕支持片から離れて枕の押し戻しを解除する形態に構成される。
【００１０】
また、クランプには自動開放機構を具えることが好ましい。この自動解放機構は、クランプを開放する方向に押圧する弾性材と、弾性材の押圧力に抗してクランプを閉じた状態に保持する止め機構と、止め機構を解除してクランプを開放する解除機構とを有するものが挙げられる。
【００１１】
弾性材としてはねじりバネや圧縮バネが好適である。ねじりバネはクランプの開閉動作に用いられたヒンジに装着すれば良い。圧縮バネは開閉するクランプの一方側にプランジャとして装着し、対向するクランプとの間で反発するように構成すれば良い。
【００１２】
止め機構は、マグネットと、このマグネットに吸着するキャッチャーを用いることが好ましい。開閉するクランプの一方にマグネットを他方にキャッチャーを設け、マグネットでキャッチャーを吸着させる。この吸着力は前記弾性材の反発力よりも強くすることは言うまでもない。マグネットおよびキャッチャーの装着は接着剤を用いずにねじ止めなどの機械的固定手段により装着することが好適である。これにより、接着剤の劣化に伴うマグネットまたはキャッチャーの脱落を防止することができる。
【００１３】
解除機構は、偏芯カムやレバーを用いることが最適である。すなわち、偏心カムやレバーの回転動作により、マグネットの吸着力などで閉じられたクランプをこじ開けるように構成する。一旦、クランプが開放されれば、弾性材の押圧力によりクランプは自動的に開放され、より操作性が改善される。
【００１４】
また、クランプの開放動作に回転ローラの回転動作を連動させることが望ましい。この連動により、裸光ファイバの切断後にクランプを開放すると、同時に回転ローラも回転され、切り屑をクランプから離反する方向に送り出して切り屑回収機構内に投入させることができる。
【００１５】
この連動を行うには、クランプの開放に伴う円弧動作を回転ローラの回転動作に伝達する伝達機構を用いれば良い。伝達機構はクランプの開放に伴う円弧動作を回転ローラの回転動作に伝達できれば、その具体的構成は問わない。
【００１６】
さらに、回転ローラは、上ローラと下ローラとを具え、上ローラの回転軸を下ローラの回転軸よりもクランプから離反する方向にずらして配置することが望ましい。従来の切り屑回収機構も上ローラと下ローラとを具えているが、両ローラの回転軸は同一鉛直面上に配置されている。そのため、切り屑を保持した回転ローラを回転すると、切り屑はほぼ水平方向に送られる。その際、切り屑が長ければ、切り屑の先端が切り屑回収機構の内面に突き当たって下方に落下させることが難しい。また、切り屑が短くても、回転ローラに付着してやはり切り屑を落下できないことがある。そこで、上ローラの回転軸と下ローラの回転軸を水平方向にずらすことで、切り屑を下方に向けて送り出すことができ、切り屑回収機構のサイズを小さくできると共に、確実に切り屑を回転ローラから落下させることができる。
【００１７】
切り屑回収機構の具体例としては、外ケースと、外ケースに内蔵されて切り屑が投入される使い捨ての内ケースとを具えるものが挙げられる。通常、切り屑回収機構は切り屑が投入されるケースを具えているが、このケースはプラスチック製や金属製の上部が開口した小さな容器である。そのため、極めて細いガラス製の光ファイバの切り屑がケース内に投入されると、静電気などによりケース内に切り屑が吸着され、容易に廃棄することができなくなる。その対策としては、ケース内面に帯電防止処理を施すことなどが挙げられるが、ケースに対する切り屑の吸着を皆無にすることが難しく、十分効果的な解決策とは言えない。そこで、ケースを二重構造とし、内ケースを使い捨てとすることで、確実に切り屑の破棄ができるようにした。
【００１８】
本発明カッタは多芯用・単芯用のいずれにも利用できるが、単芯用の場合、クランプ際に単芯光ファイバ用のガイド溝を設け、このガイド溝は、クランプに近づくに伴って段階的に細く構成することが望ましい。通常、単芯用の光ファイバカッタでは、クランプ際（光ファイバ芯線の根元側）に光ファイバをはめ込むガイド溝が形成されている。一方、光ファイバ芯線には、被覆径が0.25mmや0.90mmのものなど、異なる径のものが存在する。そのため、ガイド溝のサイズが単一では径の異なる光ファイバ芯線をガイド溝に配置してもクランプに対する裸光ファイバの中心軸の高さが変わり、精度良い切断を行うことができない。また、サイズの異なる複数のガイド溝を並列したのでは、光ファイバ芯線をサイズの適合しないガイド溝にはめ込んでしまうことが多く、作業性が悪い。そこで、一本の溝で径の異なる光ファイバ芯線を的確に配置できるよう、ガイド溝をクランプに近づくに伴って段階的に細く構成した。具体例としては、ガイド溝のクランプ側を0.25mmの光ファイバ芯線に適合したサイズとし、ガイド溝の途中からは0.90mmの光ファイバ芯線に適合したサイズとすることが挙げられる。ガイド溝の断面形状はV型や矩形が良い。このガイド溝は、光ファイバカッタの本体に直接設けても良いし、本体とは別に着脱自在のホルダを用い、このホルダに設けても良い。
【００１９】
そして、切り屑回収機構の回転ローラには逆転防止機構を具えることが好適である。特に、クランプの開放動作に回転ローラの回転を連動させた場合、回転ローラに逆転機構がないと、光ファイバカッタでは切り屑がケース内に回収できず、再度クランプ側に戻されると言う問題が起るからである。これは、切り屑がゴム製などの回転ローラに付着しやく、回転ローラが切り屑をクランプから離れる方向に送った後でも回転ローラには切り屑が付着したままで、そのまま回転ローラが逆転されると切り屑をクランプ側に引き戻してしまうためである。
【００２０】
クランプの開放動作を回転ローラの回転動作に連動させた場合、この連動を行う第一伝達機構に逆転防止機構を設けることが好適である。一方、クランプの開放動作を回転ローラの回転動作に連動させない場合、切り屑回収機構などに設けた操作レバーと、このレバーの動作を回転ローラの回転動作に伝達する第二伝達機構を設け、この第二伝達機構に逆転防止機構を設けることが望ましい。逆転防止機構の具体例としては、第一伝達機構または第二伝達機構におけるいずれかの回転体にワンウェイクラッチを設けたり、第一伝達機構または第二伝達機構に上下動する遊動ギアを介在させることが挙げられる。
【００２１】
【発明の実施の形態】
以下、本発明の実施の形態を説明する。
図1は本発明カッタの平面図、図２は同正面図である。図３、図４は、各々図１におけるA-A矢視断面図、B-B矢視断面図である。また、図５、図６、図９、図10、図11、図12は、各々図３におけるC-C矢視断面図、D-D矢視断面図、E-E矢視断面図、F-F矢視断面図、G-G矢視断面図、H-H矢視断面図である。さらに、図７は左側面図である。
【００２２】
（全体構成）
このカッタは、本体10と、蓋部20と、裸光ファイバに曲げを与える枕30と、裸光ファイバを保持する上下クランプ40、41（図５）と、裸光ファイバに初期傷を付ける円盤状の刃部50と、裸光ファイバの切り屑回収機構60とを具えている。以下、各部を詳細に説明する。
【００２３】
（本体）
本体10は上部片11と下部片12を連結片13でつないだ断面がほぼI字状の金属塊である。その上面には多芯用光ファイバホルダ70（光ファイバ芯線を並列状態に保持する器具）を装着するホルダガイド14（図７）が形成されている。また、上部片11には刃部50の露出孔15（図８）が形成され、この露出孔15から刃部50が上方に突出される。さらに、連結片13には刃部50のスライド機構が装着されている。このスライド機構は、本体10に固定された直線ガイド16と、直線ガイド沿いにスライドすると共に刃部50が固定されたスライダ17とを有する。そして、本体の上面における前記露出孔15を挟む個所には一対の下クランプ41（図３、図５）が固定されている。
【００２４】
（蓋部）
蓋部20は、支軸21（図４）を介して本体上面の側縁に開閉自在に取り付けられた板状体である。蓋部20の裏面（本体10と対向する面）には、枕30と、一対の上クランプ40と、光ファイバホルダ70を圧縮バネ22の反発力で押圧するプランジャ23が設けられている。この上クランプ40は、蓋部20を閉じることで本体上の下クランプ41と対向されて、裸光ファイバを挟みこむ。
【００２５】
（蓋部（クランプ）の自動開放機構）
本例では、この蓋部20に自動開放機構を設けた。自動開放機構には、前記支軸21に装着されたねじりバネ24（図１，７）と、蓋部20を閉じた状態に保持する止め機構と、止め機構を解除する解除機構とが含まれる。ねじりバネ24は、蓋部20を開放する方向に押圧する。ここでは解除機構を構成する解除レバー25にねじりバネ24の一端を貫通させ（図１、図７）、このねじりバネ24に蓋部20の押圧と、解除レバー25の押圧（姿勢制御）と言う二つの機能を持たせた。また、止め機構には、マグネット26と、このマグネット26に吸着するキャッチャー27を用いる。マグネット26は、マグネット保持金具28を介して蓋部20における支軸21と反対側の側縁にねじ止めされている。一方、キャッチャー27は本体の上面にやはりねじ止めにより固定されている。蓋部を閉じると、ねじりバネ24の押圧力に抗してマグネット26がキャッチャー27に吸着される。本例では、接着剤を用いることなくマグネット26およびキャッチャー27の装着を行っており、接着剤の劣化に伴うマグネット26またはキャッチャー27の脱落を防止することができる。さらに、解除機構には、蓋部20の裏面に軸29（図２）を介して支持された解除レバー25を用いる。この解除レバー25は、常時は図２に示すように、ねじりバネ24の押圧力により蓋部20が閉じた状態となる向きに保持される。しかし、解除レバー25を下方に押せば、同レバー25が回転して本体上面に押し当てられるため、蓋部はこじ開けられることになって、マグネット26とキャッチャー27の吸着を開放する。この吸着が開放されれば、ねじりバネ24の反発力により蓋部20は自動的に開かれる（図７の破線参照）。このように、蓋部20に自動開放機構を設けることで、上クランプ40も自動開放することができ、作業性が改善される。
【００２６】
（枕）
枕30（図３）は、圧縮バネ31の反発により、常時は突出した状態、すなわち裸光ファイバに曲げを付与する状態に保持されるように構成した。圧縮バネ31は、蓋部20の表面にねじ止めした押え板32と枕30の後端との間に介在される。そして、初期傷を付ける前は枕30が裸光ファイバと非接触の状態に押し戻され、初期傷を付けた後には裸光ファイバと接触するように、刃部50のスライドと枕30の突出・後退を連動させた。このように、枕30での曲げ付与動作を自動化することで作業者によるばらつきを解消し、高精度の切断を可能にする。なお、刃部50と枕30との連動機構については後に詳述する。
【００２７】
（クランプ）
上下クランプ40、41は、金属製の台部42、43にゴム44、45をはめ込んで構成されている（図５、図９）。台部42、43は夫々本体上面または蓋部裏面にねじ止めされている。ゴム45、46にはショア硬度Hs80以上の硬質ゴムが好ましい。硬質ゴムをクランプに用いることで安定した裸光ファイバの保持を実現し、超高精度の切断ができる。特に、多心光ファイバの切断を行った場合、切断面の不揃いを大幅に低減できる。
【００２８】
（切り屑回収機構）
切り屑回収機構60（図３）は、本体10と一体化された外ケース61と、外ケース内に軸支された下ローラ62と、外ケース61にヒンジを介して装着された開閉フタ63と、開閉フタ63の裏面に軸支された上ローラ64とを具える。開閉フタ63を閉じたとき、上ローラ64と下ローラ62との間には裸光ファイバの切り屑が挟みこまれる。また、本例では、外ケース61に使い捨ての内ケース65を内蔵した。そして、下ローラ62を回転させることで切り屑をクランプから離反する方向に送り、内ケース内に投入されるように構成した。これにより、切り屑は内ケース65ごと取り出して容易かつ確実に廃棄することができる。なお、外ケース61の一側面66は開閉自在に構成し（図３）、内ケース65の取出口とした。
【００２９】
さらに、本例では、上ローラ64の回転軸を下ローラ62の回転軸よりもクランプから離反する方向にずらして配置した。これにより、切り屑を下方に向けて送り出すことができ、確実に切り屑を内ケース内に導くことができる。
【００３０】
（クランプの開放と下ローラの回転との連動機構：第一伝達機構）
切り屑回収機構の下ローラ62は、クランプ40、41の開放に連動して回転される。その連動機構を図４、図９、図11に基づいて説明する。本例では、蓋部20の開閉に伴う円弧運動を下ローラ62の回転運動として伝達した。図４、11に示すように、蓋部20の端面にはピン201が突出されている。一方、外ケース61に隣接して伝達機構収納ケース80が配置され、このケース内には所定の範囲で回転するレバー81が軸支されている。また、このレバー81の先端部は伝達機構収納ケース80から突出すると共に長孔が形成されている、そして、前記ピン201がレバー81の長孔にはめ込まれている。
【００３１】
伝達機構収納ケース内において、レバー81の回転軸には第一ギア82が装着され、順次第二ギア83、クラウンギア84、第三ギア85と噛合される。そして、この第三ギア85の回転軸に下ローラ62が装着されている。従って、裸光ファイバの切断後に蓋部20を開放すると、レバー81の回転に伴って下ローラ62が回転され、切り屑が内ケース65に向かって送られることになる。
【００３２】
なお、本例では、第一ギア82の回転軸にワンウェイクラッチ86を装着し、蓋部20の開放動作のときのみ第一ギア82を回転させ、蓋部20の閉じ動作に対しては第一ギア82を回転させないように構成した。これにより、下ローラ62は切り屑をクランプから離反する方向に送るようにのみ回転され、仮に下ローラ62に切り屑が付着しても、蓋部20を閉じたときに切り屑が再度クランプ側に引き戻されることを回避できる。
【００３３】
（刃部と枕の連動機構）
本例では枕30による裸光ファイバへの曲げ付与動作を自動化しているが、その自動化は、刃部50のスライドを枕30の進退に連動させることで実現している。図３に示すように、枕30には、その下方に伸びる枕支持片33を固定した。一方、刃部のスライダ17には、上部に突き出て枕支持片33に当接する突起18を設けている。この突起18は、図６に示すように、スライド方向の長さが限定されている。そのため、裸光ファイバに初期傷を付けるまでは枕支持片33と突起18が当接して、枕30が裸光ファイバと非接触の状態に押し戻される。しかし、初期傷が付けられると、突起18は枕支持片33の下方を通り過ぎ、圧縮バネ31の押圧力により枕30が突出されて裸光ファイバに曲げを加え、裸光ファイバを切断させる。図３、図６では突起18が枕30に接触して、枕30が押し戻された状態を示している。
【００３４】
（刃部と切り屑回収機構における開閉フタとの連動機構）
開閉フタ63（図３）の閉じ動作により上ローラ64と下ローラ62との間で切り屑を挟んで保持することは前述した。この開閉フタ63の閉じ動作は、裸光ファイバの切断後に行われることが望ましい。それは、裸光ファイバの切断前に開閉フタ63を閉じると、上下クランプ40、41で挟まれた裸光ファイバの先端をさらに上下ローラ64、62で挟むことになり、上下クランプ40、41による裸光ファイバの把持力が変わって、結果的に裸光ファイバの切断に適切な張力を安定して実現することが困難になるからである。そこで、刃部50のスライドに開閉フタ63の閉じ動作を連動させて、裸光ファイバが切断された後に開閉フタ63が閉じられ、上下ローラ64、62の間に切り屑が挟まれるように構成した。
【００３５】
この連動機構には、刃部のスライダ17に設けられた切欠端面19と、伝達機構収納ケース内に配置された揺動レバー87とを用いる。図６、図10に示すように、スライダ17の下部には、スライド方向の切欠100が設けられ、切欠端面19が形成されている。一方、図10〜図12に示すように、揺動レバー87は、一端が外ケース61の開口部にまで伸び、他端にはピン88が突設されて、中間部が軸89を介して回転自在に支持されている。また、軸89にはねじりバネ（図示せず）が装着されて、常時は揺動レバー87の一端が外ケース61の開口部から突出した状態に保持されている。そして、前記のピン88は伝達機構収納ケースの長孔800（図11、図12）を貫通し、スライダ17の切欠100の間に位置される。
【００３６】
ここで、刃部50がスライドされる前は、スライダ17の切欠端面19はピン88に接触しないため、揺動レバー87（図12の実線参照）の一端が外ケース61の開口部から突出して開閉フタ63を押し上げる。そのため、上ローラ64は下ローラ62から離れて裸光ファイバを挟むことができない。次に、刃部50をスライドすると、切欠端面19がピン88を押し、揺動レバー87が揺動される。その結果、揺動レバー87（図12の破線参照）の一端は外ケース61の開口部よりも下方に沈み込み、開閉フタ63が閉じられて上ローラ64と下ローラ62との間に裸光ファイバを挟むことができる。なお、図３では開閉フタ63が若干開いて上ローラ64が下ローラ62から離れた状態と、開閉フタ63が完全に開いた状態とを二点鎖線で示している。
【００３７】
なお、切欠端面19の位置やスライダの突起18の長さを調整することで、「初期傷の付与→枕30による曲げ付与（裸光ファイバの切断）→開閉フタ63の閉じ動作（上下ローラ64、62による切り屑の保持）」と言う一連の動作を自動的に行うこともできる。もし、裸光ファイバに初期傷を付けた後、枕30が裸光ファイバに曲げを付与する前に揺動レバー87が揺動すれば、裸光ファイバは切断前に上下ローラ64、62で挟まれることになる。それでは、上下クランプ40、41による裸光ファイバの把持力を安定させる効果が低減する。そこで、枕30が裸光ファイバに曲げを付与する動作の後に揺動レバー87が揺動されるように切欠端面19の位置やスライダの突起18の長さを調整すれば、上下クランプ40、41による裸光ファイバの把持力を安定させて高精度の切断を実現することができる。すなわち、枕支持片33の下方をスライダの突起18が通過した時点（枕30が光ファイバに曲げを付与する時点）ではスライダの切欠端面19がピン88に接触しないようにすれば良い。
【００３８】
（単芯用光ファイバホルダ）
図１、図３では多芯用光ファイバホルダ70を示したが、図８には多芯用光ファイバホルダ70と交換して用いる単芯用光ファイバホルダ90を示す。この単芯用光ファイバホルダ90は被覆径が0.25mmと0.9mmの２種類の光ファイバ芯線に対して利用できる。径の異なる光ファイバ芯線に対応できるのは、光ファイバ芯線のガイド溝91をクランプ側に向かって細くなる段階状に構成したからである。すなわち、ガイド溝91は、クランプ側の細溝92と、その反対側の太溝93とから構成される。本例では細溝92の幅を0.3mm、長さを2mmとし、太溝93の幅を1.0mmとした。0.25mmの裸光ファイバを配置する場合、光ファイバ芯線の被覆部分を細溝92にはめる。一方、0.9mmの光ファイバ芯線を配置する場合には、光ファイバ芯線の被覆端を太溝93と細溝92の境界面に突き合わせ、裸光ファイバを細溝92で支持し、被覆部分を太溝93で支持する。ガイド溝91の断面形状は矩形とした。ガイド溝91を段階状にすることで、１本の溝で異なるサイズの光ファイバ芯線をセットでき、作業性良く高精度の切断が実現できる。なお、ここでは本体に対して着脱自在の単芯用光ファイバホルダ90について説明したが、本体上面に直接段階状のガイド溝を形成しても良い。
【００３９】
（切断手順と動作）
このようなカッタは次のように使用する。ここでは、多芯光ファイバをカットする場合を例に説明する。
▲１▼光ファイバ芯線の端部における被覆を除去して裸光ファイバを露出しておく。
【００４０】
▲２▼この光ファイバ芯線を光ファイバホルダ70にセットし、蓋部20を開いてホルダガイド14に光ファイバホルダ70をはめ込む。
【００４１】
▲３▼枕30およびプランジャ23の反発力に抗して蓋部20を閉じて、マグネット26をキャッチャー27に吸着させる。このとき、上下クランプ40、41の間には裸光ファイバが挟みこまれる。また、枕支持片33が突起18に当接し、枕30は押し戻された状態に保持されている。
【００４２】
▲４▼スライダ17をスライドさせて刃部50を裸光ファイバに接触させ、初期傷を付ける。
【００４３】
▲５▼裸光ファイバに初期傷が付けられると、枕支持片33の下方を突起18が通過し、枕30が突出した状態に復帰されて、裸光ファイバに曲げを付与する。そのとき、裸光ファイバの先端側と根元側がクランプ40、41で保持されているために張力が付与される。その結果、初期傷が進展して裸光ファイバは破断に至る。
【００４４】
▲６▼さらにスライダ17を進行させると、切欠端面19がピン88を押圧し、揺動レバー87が揺動されて開閉フタ63が閉じられる。その際、上下ローラ64、62の間に切り屑が挟み込まれる。
【００４５】
▲７▼次に、蓋部20を開放する。この開放は、解除レバー25を下方に押して、蓋部20をこじ開けることにより行う。蓋部20の支軸21には蓋部を開放する方向に押圧するねじりバネ24が装着されているため、その反発力により自動的に蓋部20が開かれ、上下クランプ40、41も開かれる。
【００４６】
▲８▼蓋部20の開放動作に伴って下ローラ62が回転され、切り屑をクランプから離れる方向に送る。送られた切り屑は落下して内ケース65に収納される。
【００４７】
▲９▼切断が終わると、光ファイバホルダ70から光ファイバ芯線を取り出す。
【００４８】
（遊動ギアによる下ローラの逆転防止機構）
次に、切り屑回収機構の下ローラの逆転防止機構に関し、ワンウェイクラッチとは異なる構成について説明する。図13は遊動ギアによる逆転防止機構を具えた光ファイバカッタの平面図である。図14、図15は各々図13におけるA-A矢視断面図、B-B矢視断面図である。図16は図14におけるC-C矢視断面図である。図17は左側面図、図18は右側面図である。図１〜12と共通する部分には同一符号を付している。
【００４９】
図13〜図18は、逆転機構の説明に用いるもので、刃部のスライドと下ローラの回転動作が連動していない光ファイバカッタを示している。この場合、下ローラの回転は、切り屑回収機構に設けた操作レバーの押し下げにより行う。また、図１〜12のカッタでは、枕の曲げ付与動作が刃部のスライドに連動されていたが、本例は手動にて枕の曲げ付与動作を行う。
【００５０】
本例において、次の各点は図１〜12のカッタと共通するので説明を省略する。
▲１▼本体10に開閉自在の蓋部20が軸支されていること。
▲２▼本体表面に下クランプ41が、蓋部裏面に上クランプ40が装着されていること。
▲３▼本体表面に光ファイバホルダが装着されること。
▲４▼本体10にスライド自在の刃部50が設けられていること。
▲５▼本体10のクランプ際に切り屑回収機構60が設けられていること。
▲６▼切り屑回収機構60は、外ケース61、開閉フタ63、上ローラ64、下ローラ62を具えること。
【００５１】
まず、切り屑回収機構60における下ローラ62の回転機構およびその逆転防止機構から説明する。図13、図17に示すように、外ケース61の正面には操作レバー67が突出されている。外ケース61には操作レバー67が貫通するスリット68が形成されており、このスリット68の範囲で操作レバー67を押し下げれば下ローラ62を回転できる。
【００５２】
操作レバー67の押し下げ動作を下ローラ62の回転動作に変換する伝達機構（第二伝達機構）は次の通りである（図14、図15）。操作レバー67はラック69に一体化され、このラック69はピニオン600に噛合されている。また、ラック69の下端には圧縮バネ601が配置されて、押し下げたラック69は圧縮バネ601の反発力で押し上げられるように構成されている。一方、ピニオン600の回転軸には第一ギア602が装着され、この第一ギア602から順次遊動ギア603、第二ギア604、第三ギア605へと噛合される。そして、第三ギア605の回転軸に下ローラ62が設けられているため、操作レバー67を押し下げることで下ローラ62を回転できる。
【００５３】
ここで、遊動ギア603は長溝に軸支されており、長溝の範囲で上下動する。操作レバー67を押し下げると、第一ギア602が図14において右回りし、遊動ギア603を下方に押し付けるため、遊動ギア603が第二ギア604と噛合して回転運動の伝達が行われる。一方、操作レバー67を放すと、圧縮バネ601の作用によりラック69が押し戻されて、第一ギア602を左回りさせる。その際、遊動ギア603は長孔内で上方に押し上げられるため第二ギア604に噛合できず、回転運動が伝達されない。その結果、下ローラ62は図14の左回りしか回転できず、逆転防止が実現される。つまり、図１〜12のカッタにおけるワンウェイクラッチの代わりに本例の遊動ギアを用いた構成としても良い。
【００５４】
また、枕30は、支軸300を介して本体上面の側縁に開閉自在に取り付けられたレバー301の先端に固定されている。レバー301は棒状体の側方にL型金属片（図14、15）を一体化したものである。本例ではL型金属片の先端面に硬質ゴムをはめ込むことで枕30を構成した。この枕30は、刃部50が接触しないように溝を具えている。また、レバー301は蓋部20の挿通孔202（図13）を貫通して枕30を刃部側に対向させている。さらに、レバー301の根元付近にはプランジャ（図示せず）が内蔵されている。レバー301を回転すると、プランジャの先端が本体表面に当たり、枕33が裸光ファイバの直上に位置した状態で止められる。裸光ファイバに曲げを付与する際は、プランジャの反発力に抗して、さらに手でレバー301を押し下げて、枕33を裸光ファイバに押し付ける。
【００５５】
【発明の効果】
以上説明したように、本発明カッタによれば、刃部のスライド動作に切り屑回収機構における回転ローラの閉じ動作を連動させることで、裸光ファイバに初期傷を付けた後、回転ローラの閉じ動作が行われる。そのため、クランプによる裸光ファイバの把持力が安定し、高精度の切断を行うことができる。
【００５６】
特に、刃部のスライド動作に枕の裸光ファイバに対する曲げ付与動作を連動させ、枕の曲げ付与動作を回転ローラの閉じ動作よりも早く行うように構成すると裸光ファイバの切断後に回転ローラの閉じ動作が行われて一層望ましい。
【図面の簡単な説明】
【図１】図1は本発明カッタの平面図である。
【図２】、本発明カッタの正面図である。
【図３】図１におけるA-A矢視断面図である。
【図４】図１におけるB-B矢視断面図である。
【図５】図２におけるC-C矢視断面図である。
【図６】図２におけるD-D矢視断面図である。
【図７】本発明装置の左側面図である。
【図８】単芯用光ファイバホルダの説明図である。
【図９】図２におけるD-D矢視断面図である。
【図１０】図２におけるE-E矢視断面図である。
【図１１】図２におけるF-F矢視断面図である。
【図１２】図２におけるH-H矢視断面図である。
【図１３】別構成の下ローラ逆転防止機構の説明図である。
【図１４】図13におけるA-A矢視断面図である
【図１５】図13におけるB-B矢視断面図である。
【図１６】図14におけるC-C矢視断面図である。
【図１７】図13の光ファイバカッタの左側面図である。
【図１８】図13の光ファイバカッタの右側面図である。
【符号の説明】
10  本体
11  上部片
12  下部片
13  連結片
14  ホルダガイド
15  露出孔
16  直線ガイド
17  スライダ
18  突起
19  切欠端面
20  蓋部
21  支軸
22  圧縮バネ
23  プランジャ
24  ねじりバネ
25  解除レバー
26  マグネット
27  キャッチャー
28  マグネット保持金具
29  軸
30  枕
31  圧縮バネ
32  押え板
33  枕支持片
40  上クランプ
41  下クランプ
42、43  台部
44、45  ゴム
50  刃部
60  切り屑回収機構
61  外ケース
62  下ローラ
63  開閉フタ
64  上ローラ
65  内ケース
66  一側面
67  操作レバー
68  スリット
69  ラック
70  多芯用光ファイバホルダ
80  伝達機構収納ケース
81  レバー
82  第一ギア
83  第二ギア
84  クラウンギア
85  第三ギア
86  ワンウェイクラッチ
87  揺動レバー
88  ピン
89  軸
90  単芯用光ファイバホルダ
91  ガイド溝
92  細溝
93  太溝
100  切欠
201  ピン
202  挿通孔
300  支軸
301  レバー
600  ピニオン
601  圧縮バネ
602  第一ギア
603  遊動ギア
604  第二ギア
605  第三ギア
800  長孔
【図１】
0003666334.tif 000002
【図２】
0003666334.tif 000003
【図３】
0003666334.tif 000004
【図４】
0003666334.tif 000005
【図５】
0003666334.tif 000006
【図６】
0003666334.tif 000007
【図７】
0003666334.tif 000008
【図８】
0003666334.tif 000009
【図９】
0003666334.tif 000010
【図１０】
0003666334.tif 000011
【図１１】
0003666334.tif 000012
【図１２】
0003666334.tif 000013
【図１３】
0003666334.tif 000014
【図１４】
0003666334.tif 000015
【図１５】
0003666334.tif 000016
【図１６】
0003666334.tif 000017
【図１７】
0003666334.tif 000018
【図１８】
0003666334.tif 000019